(57)【要約】【課題】適正量の冷媒を迅速に充填することができる冷媒充填装置および冷媒充填方法、並びに冷凍空調装置を提供する【解決手段】本発明に係る冷凍空調装置１００は充填冷媒の充填に際し、外気温度、蒸発温度、蒸発器出口過熱度、圧縮機周波数を用いて、利用側熱交換器６Ａ、６Ｂから圧縮機１に戻ってくる冷媒と冷媒ボンベ８から流入する充填液冷媒とが合流し、圧縮機１に吸入される圧縮機吸入冷媒が常に所定の「乾き度」を持った冷媒となるよう［Ｒａｔｉｏ］を算出する。そして、充填調整弁９が開となる制御間隔時間が経過したか否かの判定を行い、経過したという判定により充填調整弁９を開とする。さらに、制御間隔時間とＲａｔｉｏとを積算した時間が経過したか否か判定を行い、経過したという判定により充填調整弁９を閉として充填作業を終了する。【選択図】図１
2010249326.tif 000002
【特許請求の範囲】
【請求項１】
圧縮機、凝縮器、膨張手段、蒸発器およびこれらを接続する冷媒配管を有する冷媒回路に、充填冷媒を充填するための冷媒充填装置であって、
充填冷媒を貯溜する冷媒ボンベと、
該冷媒ボンベと前記冷媒回路における低圧側の冷媒配管とを接続する供給管と、
該供給管に設置された充填調整弁と、
該充填調整弁を制御する制御部と、を有し、
該制御部が、前記充填冷媒の温度、前記蒸発器における冷媒の蒸発温度、前記蒸発器の出口における冷媒の出口過熱度、および前記圧縮機の周波数に基づいて、前記圧縮機が吸入する冷媒が所定の乾き度になるように、前記充填調整弁の開閉率を算出し、且つ、該算出された開閉率で前記充填調整弁を制御することを特徴とする冷媒充填装置。
【請求項２】
前記開閉率であるＲａｔｉｏが次式によって算出されることを特徴とする請求項１記載の冷媒充填装置。
【数６】
2010249326.tif 000008
ここで、
Ｒａｔｉｏ：充填冷媒調整弁の開閉率[％]
Ｃｐｇ    ：定圧比熱[ｋＪ/ｋｇＫ]
ＳＨ      ：蒸発器の出口過熱度[Ｋ]
Ｆ        ：圧縮機周波数[Ｈｚ]
Ｖｓｔ    ：基準ストロークボリューム[ＣＣ]  
ηｖ      ：体積効率[-]
Ｃｖ      ：充填冷媒調整弁のＣｖ値[-]
ρｓ      ：圧縮機吸入飽和ガス密度[Ｋｇ／ｍ３]
ρＢ      ：冷媒ボンベ出口密度[Ｋｇ／ｍ３]
ＰＢ      ：冷媒ボンベ出口圧力[ＭＰａＡ]   
Ｐｓ      ：圧縮機吸入圧力[ＭＰａＡ]  
Ｓｇ      ：液体の比重[−]   
【請求項３】
圧縮機、凝縮器、膨張手段、蒸発器およびこれらを接続する冷媒配管を有する冷媒回路に、充填冷媒を充填するための冷媒充填装置であって、
充填冷媒を貯溜する冷媒ボンベと、
該冷媒ボンベと前記冷媒回路における低圧側の冷媒配管とを接続する供給管と、
該供給管に設置された充填調整弁と、
該充填調整弁を制御する制御部と、を有し、
該制御部が、前記充填冷媒の温度、前記蒸発器における冷媒の蒸発温度、前記蒸発器の出口における冷媒の出口過熱度、および前記圧縮機の周波数に基づいて、前記圧縮機が吸入する冷媒が所定の乾き度になるように、充填冷媒量を計算し、且つ、該算出された充填冷媒量になるように前記充填調整弁のＣｖ値を変化させることを特徴とする冷媒充填装置。
【請求項４】
前記充填調整弁のＣｖ値が次式によって算出されることを特徴とする請求項３記載の冷媒充填装置。
【数７】
2010249326.tif 000009
ここで、
Ｃｐｇ  ：定圧比熱[ｋＪ／ｋｇＫ]
ＳＨ      ：蒸発器の出口過熱度[Ｋ]
Ｆ      ：仮周波数[Ｈｚ]
Ｖｓｔ  ：基準ストロークボリューム[ＣＣ]  
ηｖ      ：体積効率[-]
Ｃｖ    ：充填冷媒調整弁のＣｖ値[−]
ρｓ    ：圧縮機吸入飽和ガス密度[Ｋｇ／ｍ３]
ρＢ    ：冷媒ボンベ出口密度[Ｋｇ／ｍ３]
ＰＢ    ：冷媒ボンベ出口圧力[ＭＰａＡ]   
Ｐs      ：圧縮機吸入圧力[ＭＰａＡ]   
Ｓｇ      ：液体の比重[−]   
【請求項５】
冷凍サイクルを形成する圧縮機、凝縮器、膨張手段、蒸発器およびこれらを接続する冷媒配管と、
前記冷媒配管に接続された請求項１乃至４の何れかに記載の冷媒充填装置と、
を有することを特徴とする冷凍空調装置。
【請求項６】
圧縮機、凝縮器、膨張手段、蒸発器およびこれらを接続する冷媒配管を有する冷媒回路に、充填冷媒を充填するための冷媒充填装置における冷媒充填方法であって、
前記冷媒充填装置が、充填冷媒を貯溜する冷媒ボンベと、該冷媒ボンベと前記冷媒回路における低圧側の冷媒配管とを接続する供給管と、該供給管に設置された充填調整弁と、該充填調整弁を制御する制御部と、を有し、
前記充填冷媒の温度、前記蒸発器における冷媒の蒸発温度、前記蒸発器の出口における冷媒の出口過熱度、および前記圧縮機の周波数に基づいて、前記圧縮機が吸入する冷媒が所定の乾き度になるように、前記充填調整弁の開閉率を算出する工程と、
前記工程において算出された開閉率で前記充填調整弁を制御する工程と、を有することを特徴とする冷媒充填方法。
【請求項７】
前記開閉率であるＲａｔｉｏが次式によって算出されることを特徴とする請求項６記載の冷媒充填方法。
【数６】
2010249326.tif 000010
ここで、
Ｒａｔｉｏ：充填冷媒調整弁の開閉率[％]
Ｃｐｇ    ：定圧比熱[ｋＪ/ｋｇＫ]
ＳＨ      ：蒸発器の出口過熱度[Ｋ]
Ｆ        ：圧縮機周波数[Ｈｚ]
Ｖｓｔ    ：基準ストロークボリューム[ＣＣ]  
ηｖ      ：体積効率[-]
Ｃｖ      ：充填冷媒調整弁のＣｖ値[-]
ρｓ      ：圧縮機吸入飽和ガス密度[Ｋｇ／ｍ３]
ρＢ      ：冷媒ボンベ出口密度[Ｋｇ／ｍ３]
ＰＢ      ：冷媒ボンベ出口圧力[ＭＰａＡ]   
Ｐｓ      ：圧縮機吸入圧力[ＭＰａＡ]  
Ｓｇ      ：液体の比重[−]   
【請求項８】
圧縮機、凝縮器、膨張手段、蒸発器およびこれらを接続する冷媒配管を有する冷媒回路に、充填冷媒を充填するための冷媒充填装置における冷媒充填方法であって、
前記冷媒充填装置が、充填冷媒を貯溜する冷媒ボンベと、該冷媒ボンベと前記冷媒回路における低圧側の冷媒配管とを接続する供給管と、該供給管に設置された充填調整弁と、該充填調整弁を制御する制御部と、を有し、
前記充填冷媒の温度、前記蒸発器における冷媒の蒸発温度、前記蒸発器の出口における冷媒の出口過熱度、および前記圧縮機の周波数に基づいて、前記圧縮機が吸入する冷媒が所定の乾き度になるように、充填冷媒量を計算する工程と、
該工程において算出された充填冷媒量になるように前記充填調整弁のＣｖ値を変化させる工程と、を有することを特徴とする冷媒充填方法。
【請求項９】
前記充填調整弁のＣｖ値が次式によって算出されることを特徴とする請求項８記載の冷媒充填方法。
【数７】
2010249326.tif 000011
ここで、
Ｃｐｇ  ：定圧比熱[ｋＪ／ｋｇＫ]
ＳＨ      ：蒸発器の出口過熱度[Ｋ]
Ｆ      ：仮周波数[Ｈｚ]
Ｖｓｔ  ：基準ストロークボリューム[ＣＣ]  
ηｖ    ：体積効率[-]
Ｃｖ    ：充填冷媒調整弁のＣｖ値[−]
ρｓ    ：圧縮機吸入飽和ガス密度[Ｋｇ／ｍ３]
ρＢ    ：冷媒ボンベ出口密度[Ｋｇ／ｍ３]
ＰＢ    ：冷媒ボンベ出口圧力[ＭＰａＡ]   
Ｐs      ：圧縮機吸入圧力[ＭＰａＡ]   
Ｓｇ    ：液体の比重[−]     
【発明の詳細な説明】
【技術分野】
【０００１】
本発明は冷媒充填装置および冷媒充填方法、並びに冷凍空調装置、特に、冷媒充填手段を有する冷凍空調装置、および該冷凍空調装置に設置される冷媒充填装置および冷媒充填方法に関するものである。
【背景技術】
【０００２】
従来の冷凍空調装置は、冷凍サイクルを構成する配管等に冷媒を充填するための冷媒充填手段を有し、充填作業の容易化や充填量の適正化に向けて工夫がなされてきた。
たとえば、利用側熱交換器の出口における冷媒の出口過熱度が一定になるように制御しながら、冷媒のチャージポートの近傍の温度から得られる加熱度に基づいて、冷媒ボンベが空になったか否か判断する発明が開示されている（例えば、特許文献１参照）。
また、圧縮機構吐出側での冷媒の出口過熱度が所定値以上になるように冷媒を供給（充填）して、圧縮機構吸入側での冷媒の湿り度合いを所定範囲内に抑える発明が開示されている（例えば、特許文献２参照）。
また、吐出冷媒温度や吐出冷媒圧力等から求められる吐出出口過熱度と冷媒封入量との関係式から、冷媒封入量比率を求め、かかる比率に基づいて冷媒放出量または冷媒チャージ（充填）量を制定する手段を有する発明が開示されている（例えば、特許文献３参照）。
【先行技術文献】
【特許文献】
【０００３】
【特許文献１】特許第４１６５５６６号公報（第２０−２２頁、図１２）
【特許文献２】特許第４２２５３５７号公報（第６−８頁、図３）
【特許文献３】特開平５−８７４２５号公報（第３頁、図４）
【発明の概要】
【発明が解決しようとする課題】
【０００４】
しかしながら、前記発明には下の問題点があった。
（あ）前記冷媒充填作業は、冷媒が適正量充填されるまで長時間、人が運転状態を調整しながら感覚で冷媒充填量を調整する作業を行うため、作業負荷が非常に大きく、また経験に頼る部分が大きかった。
加えて、配管体積が不明である既設の配管を使用する場合や配管が複雑である場合など、適正な冷媒充填量が分からずに過充填してしまう場合もあった。さらに、人為的なミスにより液冷媒を一気に充填した場合には、冷凍空調装置の構成機器が損傷することもあった。
【０００５】
（い）また、冷媒充填配管圧力と圧縮機構吸入側圧力との圧力差に基づいて充填冷媒量が所定範囲内になるように流量を調整する方法では、機器の信頼性と充填時間短縮を考慮した最適な充填冷媒量ではないため、数々の問題を生じさせてしまう。
例えば、冷媒ボンベ冷媒充填配管の圧力が高い場合、差圧が大きいため充填冷媒が流入しやすくなり冷媒充填量が多くなるため、圧縮機に液冷媒が戻り冷凍空調装置の構成機器を損傷してしまったり、冷凍空調装置を循環する冷媒循環量が多い場合など充填冷媒量を多くすることができるにも関わらず、差圧で充填冷媒量が決まってしまい充填冷媒量を増加させることができず、結果的に冷媒充填に時間がかかってしまったり、という問題があった。
【０００６】
（う）また、吐出出口過熱度と冷媒封入量比率との関係式から冷凍機における冷媒封入量比率を求め、同比率に基づいて冷凍機に対する冷媒チャージ量を制定するものでは、前記の場合と同様に、機器の信頼性と充填時間短縮を考慮した最適な冷媒充填量で充填できないため、冷凍空調装置の構成機器を損傷したり、もしくは冷媒充填に時間がかかってしまったり、という問題があった。
【０００７】
本発明は上記問題点を解決するものであって、適正量の冷媒を迅速に充填することができる冷媒充填装置および冷媒充填方法、並びにかかる冷媒充填装置が設置された冷凍空調装置を提供することを目的とする。
【課題を解決するための手段】
【０００８】
本発明に係る冷媒充填装置は、圧縮機、凝縮器、膨張手段、蒸発器およびこれらを接続する冷媒配管を有する冷媒回路に、充填冷媒を充填するための冷媒充填装置であって、
充填冷媒を貯溜する冷媒ボンベと、
該冷媒ボンベと前記冷媒回路における低圧側の冷媒配管とを接続する供給管と、
該供給管に設置された充填調整弁と、
該充填調整弁を制御する制御部と、を有し、
該制御部が、前記充填冷媒の温度、前記蒸発器における冷媒の蒸発温度、前記蒸発器の出口における冷媒の出口過熱度、および前記圧縮機の周波数に基づいて、前記圧縮機が吸入する冷媒が所定の乾き度になるように、前記充填調整弁の開閉率を算出し、且つ、該算出された開閉率で前記充填調整弁を制御することを特徴とする。
【発明の効果】
【０００９】
本発明に係る冷媒充填装置は、簡易的な機器で構成され、圧縮機に吸引される圧縮機吸引冷媒が所定の乾き度となるので、当該冷媒充填装置が設置された冷凍空調装置の構成機器の信頼性を保ちながら、最大充填量で冷媒充填をすることができるため短時間で充填作業を終了することが可能になる。
【図面の簡単な説明】
【００１０】
【図１】本発明の実施の形態１に係る冷凍空調装置の冷媒回路を示す冷媒回路図。
【図２】図１に示す冷媒回路の制御ユニットを示す構成ブロック図。
【図３】図１に示す冷媒回路の冷媒充填ユニット制御部を示す構成ブロック図。
【図４】図１に示す冷媒回路のｐｈ線図（モリエル線図）。
【図５】図１に示す冷媒回路への冷媒充填作業のための制御フローチャート。
【図６】図１に示す冷媒回路への冷媒充填作業の制御フローチャート。
【図７】図１に示す冷媒回路の出口過熱度と充填冷媒量との関係を示す相関図。
【発明を実施するための形態】
【００１１】
［実施の形態１］
＜冷凍空調装置＞
図１〜図７は本発明の実施の形態１に係る冷凍空調装置を説明するものであって、図１は冷媒回路図、図２は制御ユニットを示す構成ブロック図、図３は冷媒充填ユニット制御部を示す構成ブロック図、図４はｐｈ線図（モリエル線図）、図５は冷媒充填作業のための制御フローを示すフローチャート、図６は冷媒充填作業の制御フローを示すフローチャート、図７は出口過熱度と充填冷媒量との関係を示す相関図である。
【００１２】
図１において、冷凍空調装置１００は蒸気圧縮式の冷凍サイクル運転を行うものであって、たとえば、ビル等の室内の冷暖房に使用される装置である。そして、冷凍空調装置１００は、冷熱または温熱を供給する熱源側ユニット２０と、冷熱または温熱を利用する利用側ユニット４０Ａ、４０Ｂと、冷凍サイクルを制御する制御ユニット３０と、冷凍サイクルを構成する冷媒回路に冷媒を充填する（不足分の冷媒を補う）ための冷媒充填ユニット５０と、を有している。
【００１３】
冷媒回路１０は、熱源側ユニット２０に含まれる熱源側冷媒回路１０Ｎと、利用側ユニット４０Ａ、４０Ｂにそれぞれ含まれる利用側冷媒回路１０Ａ、１０Ｂと、から構成される。そして、冷媒としては、例えば、ＨＦＣ系の混合冷媒であるＲ４１０Ａや、Ｒ４０４Ａ等が用いられる。
なお、１台の熱源側ユニット２０に、利用側ユニット４０Ａおよび利用側ユニット４０Ｂが並列に接続されたものについて説明しているが、本発明はそれぞれの台数を限定するものではない。
【００１４】
＜利用側ユニット＞
利用側ユニット４０Ａ、４０Ｂは、ビル等の室内の天井に埋め込みや吊り下げ等により、又は、室内の壁面に壁掛け等により設置されている。
利用側ユニット４０Ａ、４０Ｂは主として冷媒回路１０の一部を構成する利用側冷媒回路１０Ａ、１０Ｂと、利用側制御部３４０Ａ、３４０Ｂと、各種センサとを備えている。
【００１５】
（利用側冷媒回路）
利用側冷媒回路１０Ａ、１０Ｂは利用側膨張弁５Ａ、５Ｂと利用側熱交換器６Ａ、６Ｂとを備えている。利用側膨張弁５Ａ、５Ｂは、利用側冷媒回路１０Ａ、１０Ｂを流れる冷媒流量を調整する電子膨張弁である。また、利用側熱交換器６Ａ、６Ｂは、伝熱管と多数のフィンにより構成されたフィン＆チューブ型熱交換器である。
そして、冷房運転時は、利用側熱交換器６Ａ、６Ｂが蒸発器として機能し、利用側膨張弁５Ａ、５Ｂにおいて膨張した冷媒が、下流側に位置する利用側熱交換器６Ａ、６Ｂに流入して冷熱を放出する。一方、暖房運転時は、利用側熱交換器６Ａ、６Ｂが凝縮器として機能し、上流側に位置する利用側熱交換器６Ａ、６Ｂにおいて温熱を放出した冷媒が、利用側膨張弁５Ａ、５Ｂに流入する。
【００１６】
また、利用側熱交換器６Ａ、６Ｂに対向して利用側ファン６Ａｆ、６Ｂｆが設置されている。利用側ファン６Ａｆ、６Ｂｆは、利用側ユニット４０Ａ、４０Ｂ内に室内空気を吸入して、利用側熱交換器６Ａ、６Ｂにおいて冷媒と熱交換させた後に、供給空気として室内に供給するためのものであって、吸引する空気（供給する空気に同じ）の風量を可変することが可能な、たとえば、ＤＣファンモータからなるモータによって駆動される遠心ファンや多翼ファン等である。
【００１７】
＜熱源側ユニット＞
熱源側ユニット２０は、ビル等の屋上等に設置されており、利用側ユニット４０Ａ、４０Ｂに接続されている。
熱源側ユニット２０は、主として冷媒回路１０の一部を構成する熱源側冷媒回路１０Ｎと、熱源側制御部３２０と、各種センサとから構成されている。
【００１８】
（熱源側冷媒回路）
熱源側冷媒回路１０Ｎは主に、圧縮機１と、四路切換弁２と、アキュムレータ７と、熱源側熱交換器３と、熱源側レシーバ４と、を有している。
【００１９】
（圧縮機）
圧縮機１は運転容量を可変することが可能な圧縮機であり、たとえば、インバータにより制御されるモータによって駆動される容積式圧縮機から構成されている。なお、圧縮機１は１台のみであるものを示しているが、本発明はその台数を限定するものではなく、利用側ユニットの負荷に応じて、２台以上の圧縮機１が並列に接続されるものであってもよい。
【００２０】
（四路切換弁）
四路切換弁２は、冷房運転時と暖房運転時とで、冷媒の流れの方向を切り換えるための弁である。
【００２１】
（熱源側熱交換器）
熱源側熱交換器３は、伝熱管と多数のフィンとにより構成されたクロスフィン式のフィン＆チューブ型熱交換器であり、冷房運転時には冷媒の凝縮器として機能し、暖房運転時には冷媒の蒸発器として機能する熱交換器である。
また、熱源側熱交換器３に対向して熱源側ファン３ｆが設置されている。熱源側ファン３ｆは、熱源側ユニット２０内に外気を吸入して熱源側熱交換器３で熱交換させるものである。たとえば、ＤＣファンモータからなるファンモータを備えており、モータ回転数を変化させることにより風量を調整し、熱交換量を増減できるようになっている。
【００２２】
（配管）
熱源側ユニット２０の熱源側レシーバ４と利用側ユニット４０Ａの利用側膨張弁５Ａ、とは、配管４５Ｎと、配管（液側延長配管に相等する）４５Ｘと、配管４５Ｘから分岐した配管４５Ａとによって接続されている。このとき、配管４５Ｎは熱源側ユニット２０内に配置され、配管４５Ｘは熱源側ユニット２０と利用側ユニット４０Ａとの間に配置され、配管４５Ａは主に利用側ユニット４０Ａに配置されている。
また、熱源側ユニット２０の熱源側レシーバ４と利用側ユニット４０Ｂの利用側膨張弁５Ｂとは、配管４５Ｎと、配管４５Ｘと、配管４５Ｘから分岐した配管４５Ｂとによって接続されている。このとき、配管４５Ｂは主に利用側ユニット４０Ｂに配置されている。
そして、配管４５Ｎと配管４５Ｘとの接続口には、液側閉鎖弁４５ｖ（ボールバルブや、開閉弁、操作弁などの開閉動作が可能な弁）が設置されている。
【００２３】
また、熱源側ユニット２０の四路切換弁２と利用側ユニット４０Ａの利用側熱交換器６Ａ、とは、配管６２Ｎと、配管（ガス側延長配管に相等する）６２Ｘと、配管６２Ｘから分岐した配管６２Ａとによって接続されている。このとき、配管６２Ｎは熱源側ユニット２０内に配置され、配管６２Ｘは熱源側ユニット２０と利用側ユニット４０Ａとの間に配置され配管６２Ａは主に利用側ユニット４０Ａに配置されている。
また、熱源側ユニット２０の四路切換弁２と利用側ユニット４０Ｂの利用側熱交換器６Ｂとは、配管６２Ｎと、配管６２Ｘと、配管６２Ｘから分岐した配管６２Ｂとによって接続されている。このとき、配管６２Ｂは主に利用側ユニット４０Ｂに配置されている。
そして、配管６２Ｎと配管６２Ｘとの接続口には、ガス側閉鎖弁６２ｖ（ボールバルブや、開閉弁、操作弁などの開閉動作が可能な弁）が設置されている。
以下、説明の便宜上、「部材ｊ」と「部材ｋ」とを連通する冷媒配管を「配管ｊｋ」と称す。たとえば、熱源側ユニット２０において、圧縮機１と四路切換弁２とは配管１２によって接続されている。
【００２４】
（熱源側レシーバ）
熱源側レシーバ４は、熱源側ユニット２０内において、熱源側熱交換器３と利用側膨張弁５Ａ、５Ｂとの間に配置され、熱源側熱交換器３とは配管３４によって、利用側膨張弁５Ａ、５Ｂとは配管４５Ｎ等によって、連通している。
熱源側レシーバ４は、冷房運転時または暖房運転時に、それぞれの運転に好適な量の冷媒が循環するように、余った冷媒を貯溜するものである。
【００２５】
（アキュムレータ）
アキュムレータ７は、四路切換弁２と圧縮機１との間に配置され、四路切換弁２とは配管２７によって、圧縮機１とは配管７１によって連通している。アキュムレータ７は、利用側ユニット４０Ａ、４０Ｂの運転負荷の変動等に応じて冷媒回路１０内に発生する余剰冷媒を溜めることが可能な容器である。
【００２６】
なお、以上説明した冷凍空調装置１００は、冷媒との熱交換対象となる流体は空気であるが、本発明はこれに限定するものではなく、たとえば、水、冷媒、ブライン等であってもよく、流体の供給装置はファンに替えて、ポンプ等であってもよい。
また、利用側ユニット４０Ａ、４０Ｂが２台の場合の構成例であるが、３台以上の複数でもよく、それぞれの容量が大から小まで相違しても、全てが同一容量でもよい。
また、利用側膨張弁５Ａ、５Ｂは、利用側ユニット４０Ａ、４０Ｂに内蔵する構成としたが、熱源側ユニット２０に内蔵する構成としてもよい。すなわち、利用側膨張弁５Ａ、５Ｂは、熱源側レシーバ４と液側閉鎖弁４５ｖとの間に配置され、冷房運転時には、低圧冷温の冷媒が、配管（液側延長配管）４５Ｘ、６２Ｘおよび配管４５Ａ、４５Ｂを経由して、利用側熱交換器６Ａ、６Ｂに供給されることになる。
【００２７】
＜制御ユニット（温度センサ）＞
続いて、制御ユニット３０が有する温度センサについて説明する。
まず、熱源側ユニット２０においては、圧縮機１の吐出温度を検出するための温度センサＴ１２が、配管１２に設置され、冷房運転時の熱源側熱交換器３の出口冷媒温度を検出するため温度センサＴ３４が、配管３４に設置されてている。温度センサＴ１２、Ｔ３４は冷媒配管１２、３４に接するか、あるいは冷媒配管１２、３４に挿入するように設けられ、冷媒温度を間接的に検出するようになっている。
また、冷房運転時の熱源側熱交換器３の凝縮温度を検知するため温度センサＴ３が、熱源側熱交換器３に設置されている。温度センサＴ３は、熱源側熱交換器３を形成する伝熱管やフィンに接するか、あるいは伝熱管に挿入するように設けられ、凝縮温度を直接的に検出するようになっている。
さらに、熱源側熱交換器３が設置される室外の周囲温度（熱源側ユニット２０の温度に相等する）は、温度センサＴ２０によって検出される。
なお、圧縮機１の入口側には吸入温度を計測する温度センサＴ２７が設けられている。
【００２８】
また、利用側ユニット４０Ａ、４０Ｂにおいては、冷房運転時における蒸発温度または暖房運転時における凝縮温度を検出する温度センサＴ５６Ａ、Ｔ５６Ｂが、配管５６Ａ、５６Ｂに設けられ、利用側熱交換器６Ａ、６Ｂの熱源側ユニット２０（四路切換弁２）側にはそれぞれ温度センサＴ６２Ａ、Ｔ６２Ｂが設けられている。
利用側熱交換器６Ａ、６Ｂが設置されている室内周囲空気温度（利用側ユニット４０Ａ、４０Ｂの温度に同じ）は、温度センサＴ４０Ａ、Ｔ４０Ｂによって検出される。
また利用側ユニット４０Ａ、４０Ｂには利用側ユニット４０Ａ、４０Ｂを構成するアクチュエータの制御を行うマイクロコンピュータやメモリ等を有する利用側制御部３４０Ａ、３４０Ｂを備えており、熱源側制御部３２０と制御信号のやりとりを行うことができるようになっている。
【００２９】
＜制御ユニット（圧力センサ）＞
圧縮機１の吐出圧力を計測する吐出圧力センサＰ１２が、圧縮機１の吐出側である配管１２に、圧縮機１の吸入圧力を計測する吸入圧力センサＰ２７が、圧縮機１の吸入側（正確には、四路切換弁２とアキュムレータ７との間）である配管２７に設けられている。
このような位置に、吸入圧力センサＰ２７および温度センサＴ２７をそれぞれ設けることにより、アキュムレータ７の入口の冷媒出口過熱度の検出が可能となる。ここで、温度センサＴ２７の位置をアキュムレータ７の入口側としたのは、アキュムレータ７の入口の冷媒出口過熱度を制御し、液冷媒がアキュムレータ７に戻らない運転を実現するためである。
なお、吸入圧力センサＰ２７の位置については、図示した位置に限られたものではなく、ガス側閉鎖弁６２ｖから圧縮機１の吸入側に至るまでの区間であれば、何処の場所に設けられていてもよい。
さらに、吸入圧力センサＰ２７の圧力を飽和温度に換算することにより、冷媒回路１０の凝縮温度を求めることも可能である。
【００３０】
＜制御ユニット（制御部）＞
図２において、冷凍空調装置１００は制御ユニット３０を有し、制御ユニット３０は、計測制御を行う冷凍空調装置制御部（以下、「制御部」と称す）３００と、これに接続されるセンサ類、アクチュエータ類を有している。
制御ユニット３０を形成する制御部３００は、メイン制御部である熱源側制御部３２０と、サブ制御部である利用側制御部３４０Ａ、３４０Ｂと、を有しそれぞれの間でデータ通信を行うことにより連携処理を行う構成となっている。
すなわち、利用側制御部３４０Ａ、３４０Ｂは、それぞれ利用側ユニット４０Ａ、４０Ｂに配置され、利用側ユニット４０Ａ、４０Ｂを構成するアクチュエータの制御を行うマイクロコンピュータやメモリ等を有し、熱源側制御部３２０と制御信号のやりとりを行うことができる。
【００３１】
そして、制御部３００は、温度センサや圧力センサ類の測定を行う測定部３０１、測定結果に基づき演算、比較、判定などの処理を行う演算部３０２、演算結果に基づき、圧縮機１、液側閉鎖弁４５ｖ、６２ｖ、熱源側ファン３ｆ、利用側ファン６Ａｆ、６Ｂｆなどを駆動する駆動部３０３から構成されている。
【００３２】
また、演算部３０２によって得られた結果や予め定められた定数、冷媒の物性値（飽和圧力、飽和温度、エンタルピーなど）を計算する近似式やテーブルなどを記憶する記憶部３０４も内蔵しており、必要に応じてこれらの記憶内容を参照、書き換えることが可能である。
測定部３０１、演算部３０２及び駆動部３０３は、例えばマイコンにより構成され、記憶部３０４は半導体メモリなどによって構成される。
【００３３】
また、制御部３００には、マイコンによる処理結果をＬＥＤやモニタなどにより表示したり、警告音などを出力したり、電話回線、ＬＡＮ回線、無線などの通信手段（図示せず）により遠隔地へ情報を出力する出力部３０６、リモコンや基板上のスイッチ類からの操作入力、電話回線、ＬＡＮ回線、無線などの通信手段（図示せず）からの通信データ情報を入力する入力部３０５が接続されている。
【００３４】
なお、上記の構成例では熱源側ユニット２０にメインである熱源側制御部３２０を、利用側ユニット４０Ａ、４０Ｂにサブ制御部（制御部３００の機能の一部を持つ）である利用側制御部３４０Ａ、３４０Ｂを設けて、メイン制御部とサブ制御部との間でデータ通信を行うことにより連携処理を行う制御部３００として制御する構成としたが、本発明はこれに限定するものではなく、制御部３００を熱源側ユニット２０に内蔵する構成や、利用側ユニット４０Ａ、４０Ｂに全ての機能を持つ制御部３００を設置する構成、或いはこれらの外部に制御部３００を別置する形態などとしてもよい。
【００３５】
冷凍空調装置１００は、利用側制御部３４０Ａ、３４０Ｂと熱源側制御部３２０とから構成される制御部３００によって、四路切換弁２により冷房運転及び暖房運転を切り換えて運転を行うとともに、利用側ユニット４０Ａ、４０Ｂの運転負荷に応じて、熱源側ユニット２０及び利用側ユニット４０Ａ、４０Ｂの各機器の制御を行うようになっている。
【００３６】
＜冷媒充填ユニット＞
冷媒充填ユニット５０は、冷媒ボンベ８と、充填冷媒量調整弁（以下、「充填調整弁」と称す）９と、冷媒充填ユニット制御部（以下、「充填制御部」と称す）３５０とを有している。
冷媒ボンベ８と充填調整弁９とは配管（供給管に相等する）８９によって接続され、充填調整弁９は熱源側ユニット２０の配管２７に設けられたチャージポートＰに配管（供給管に相等する）９７によって繋がれている。
充填調整弁９は、電磁弁を使用しており、充填制御部３５０で指示された弁開閉率に基づいて開閉動作を行い、冷媒ボンベ８内の液冷媒を冷媒回路１０に充填する。
【００３７】
また、冷媒ボンベ８には冷媒ボンベヒータ８ｈが設置され、冷媒ボンベヒータ８ｈは、冷媒ボンベ８の内圧と冷媒回路１０の低圧側圧力との差圧が小さく冷媒充填量が少ない場合、冷媒ボンベ８を暖めて、冷媒ボンベ８の内圧を高くすることで差圧を大きくして冷媒充填スピードを上げるために用いられる。
【００３８】
さらに、冷媒充填ユニット５０は、外気温度を計測するための温度センサＴ５０を有している。冷媒が充填された状態の冷媒ボンベ８の内部の温度は外気温度にほぼ等しいと考えられるため、外気温度を計測すれば、冷媒ボンベ８から充填調整弁９（配管８９に同じ）に供給された冷媒の圧力（飽和圧力）を推定することができる。
【００３９】
冷媒ボンベ８は、例えば内部にサイホン管がついているもので、冷媒ボンベ出口から液冷媒が流出するようになっている。冷媒ボンベによってはガス冷媒を流出させることもできるが、ガス冷媒を用いて冷媒充填作業を行うと時間がかかりすぎるため、冷媒ボンベ８からは液冷媒を流出させるようにする。
【００４０】
図３において、冷媒充填ユニット制御部３５０は、温度センサのように測定を行う測定部３５１、測定結果や入力データに基づき演算、比較、判定などの処理を行う演算部３５２、演算結果に基づき、充填調整弁を駆動する駆動部３５３から構成されている。また、演算部３５２によって得られた結果や予め定められた定数、冷媒の物性値（飽和圧力、飽和温度、エンタルピーなど）を計算する近似式やテーブルなどを記憶する記憶部３５４も内蔵しており、必要に応じてこれらの記憶内容を参照、書き換えることが可能である。測定部３５１、演算部３５２及び駆動部３５３は例えばマイコンにより構成され、記憶部３５４は半導体メモリなどによって構成される。
また、充填制御部３５０には、マイコンによる処理結果や充填冷媒量、充填の度合い、冷媒ボンベの残存量等をＬＥＤやモニタなどにより表示する表示部３５７と、警告音などを出力したり、電話回線、ＬＡＮ回線、無線などの通信手段（図示せず）により遠隔地へ情報を出力したり、冷凍空調装置１００の目標値を出力したりする出力部３５６と、リモコンや基板上のスイッチ類からの操作入力、電話回線、ＬＡＮ回線、無線などの通信手段（図示せず）からの通信データ情報を入力したり、冷凍空調装置１００の制御部３００から出力されるセンサ情報を入力する入力部３５５とが接続されている。
【００４１】
（冷房運転） 
次に、図１および図４を用いて冷房運転について説明する。
冷房運転時は、冷媒が図１の実線矢印で示される方向に流れるものである。すなわち、四路切換弁２の切換によって、圧縮機１の吐出側が熱源側熱交換器３のガス側に接続され、かつ、圧縮機１の吸入側が利用側熱交換器６Ａ、６Ｂのガス側に接続された状態となっている。このとき、ガス側閉鎖弁６２ｖ及び液側閉鎖弁４５ｖは、開状態になっている。
そして、利用側膨張弁５Ａ、５Ｂは、利用側熱交換器６Ａ、６Ｂの出口（すなわち、利用側熱交換器６Ａ、６Ｂのガス側）における冷媒の「出口過熱度ＳＨ」が出口過熱度目標値ＳＨｍで一定になるように開度調節されるようになっている。
【００４２】
冷凍空調装置１００において、利用側熱交換器６Ａ、６Ｂの出口における冷媒の出口過熱度ＳＨは、ガス側の温度センサＴ６２Ａ、Ｔ６２Ｂにより検出される冷媒温度値から液側の温度センサＴ５６Ａ、Ｔ５６Ｂにより検出される冷媒温度値（蒸発温度Ｔｅに対応）を差し引くことによって検出される。あるいは、圧縮機吸入圧力を検出する吸入圧力センサＰ２７により検出される圧縮機１の「吸入圧力Ｐｓ」を「蒸発温度Ｔｅ」に対応する飽和温度値に換算し、ガス側の温度センサＴ６２Ａ、Ｔ６２Ｂにより検出される冷媒温度値からこの冷媒の飽和温度値を差し引くことによって検出される。
【００４３】
なお、冷凍空調装置１００では採用していないが、利用側熱交換器６Ａ、６Ｂ内を流れる冷媒の温度を検出する温度センサを設けて、この温度センサにより検出される「蒸発温度Ｔｅ」に対応する冷媒温度値を、ガス側の温度センサＴ６２Ａ、Ｔ６２Ｂにより検出される冷媒温度値から差し引くことによって、利用側熱交換器６Ａ、６Ｂの出口における冷媒の「出口過熱度ＳＨ」を検出するようにしてもよい。
【００４４】
まず、熱源側冷媒回路１０Ｎの冷媒の流れについて説明を行う。
圧縮機１により圧縮された冷媒は、高温高圧ガス冷媒（図４に示す状態イ）となり、四路切換弁２を経由して熱源側熱交換器３へ至り、熱源側ファン３ｆの送風作用により凝縮液化し飽和液となる(図４に示す状態ロ）。さらに熱源側熱交換器３で冷却され、熱源側熱交換器出口では、過冷却度が大きくなる（図４に示す状態ハ）。
【００４５】
このとき、熱源側熱交換器３の「凝縮温度」は温度センサＴ３により、あるいは圧縮機１の吐出圧力を検知する吐出圧力センサＰ１２の圧力を飽和温度換算することによって求められる。なお、熱源側熱交換器３の付近に圧力センサを追加して、かかる圧力センサの検知圧力を飽和温度換算して求められる。
また、熱源側熱交換器３の出口の「過冷却度」は、上記凝縮温度から、熱源側熱交換器３の出口温度を計測している温度センサＴ３４の温度を差し引くことで求められる。
【００４６】
さらに、熱源側熱交換器３から流出した冷媒は、熱源側レシーバ４を経由して、利用側ユニット４０Ａ、４０Ｂに送られ、利用側膨張弁５Ａ、５Ｂにより減圧されて低圧の気液二相冷媒となる（図４に示す状態ニ）。
【００４７】
気液二相冷媒は蒸発器である利用側熱交換器６Ａ、６Ｂにて利用側ファン６Ａｆ、６Ｂｆの送風作用によりガス化する（図４に示す状態ホ）。この時の「蒸発温度」は温度センサＴ５６Ａ、Ｔ５６Ｂによって計測される。また、利用側熱交換器６Ａ、６Ｂの出口における「出口過熱度」は、温度センサＴ６２Ａ、Ｔ６２Ｂの値からそれぞれの蒸発温度を引くことにより求められる。
【００４８】
利用側熱交換器６Ａ、６Ｂを通過したガス冷媒は、熱源側ユニット２０に戻り、ガス側閉鎖弁６２ｖおよび四路切換弁２を経由して、アキュムレータ７に流入する。このとき、アキュムレータ７に流入する低圧のガス冷媒は、配管２７に設けられたチャージポートＰを通過し、温度センサＴ２７によって冷媒の温度が検知され、再び、圧縮機１に吸入される。
【００４９】
（暖房運転） 
次に、図１および図４を用いて暖房運転について説明する。暖房運転時は、冷媒が図１の破線矢印で示される方向に流れるものである。すなわち、圧縮機１の吐出側が、四路切換弁２およびガス側閉鎖弁６２ｖ等を介して利用側熱交換器６Ａ、６Ｂのガス側に接続されている。かつ、圧縮機１の吸入側が、四路切換弁２を介して熱源側熱交換器３のガス側に接続された状態となっている。このとき、液側閉鎖弁４５ｖ及びガス側閉鎖弁６２ｖは開状態になっている。
【００５０】
そして、利用側膨張弁５Ａ、５Ｂは、利用側熱交換器６Ａ、６Ｂの出口における冷媒の「過冷却度ＳＣ」が過冷却度目標値ＳＣｍで一定になるように開度調節されるようになっている。
【００５１】
冷凍空調装置１００において、利用側熱交換器６Ａ、６Ｂの出口における冷媒の「過冷却度ＳＣ」は、吐出圧力センサＰ１２により検出される圧縮機１の「吐出圧力Ｐｄ」を凝縮温度に対応する飽和温度値に換算し、この冷媒の飽和温度値から利用側熱交換器６Ａ、６Ｂの液側温度を計測する温度センサＴ５６Ａ、Ｔ５６Ｂにより検出される冷媒温度値を差し引くことによって検出される。
【００５２】
なお、冷凍空調装置１００では採用していないが、利用側熱交換器６Ａ、６Ｂ内を流れる冷媒の温度を検出する温度センサを設けて、この温度センサにより検出される凝縮温度ＴＣに対応する冷媒温度値を、利用側熱交換器６Ａ、６Ｂの液側の温度センサＴ５６Ａ、Ｔ５６Ｂにより検出される冷媒温度値から差し引くことによって利用側熱交換器６Ａ、６Ｂの出口における冷媒の「過冷却度ＳＣ」を検出するようにしてもよい。
【００５３】
暖房運転時の冷媒回路１０に四路切換弁２が切り替えられた状態（液側閉鎖弁４５ｖ及びガス側閉鎖弁６２ｖは開状態）において、圧縮機１、熱源側ファン３ｆ及び利用側ファン６Ａｆ、６Ｂｆを起動すると、低圧のガス冷媒は、圧縮機１に吸入されて圧縮されて高圧のガス冷媒(図４に示す状態イ)となり、四路切換弁２およびガス側閉鎖弁２９を経由して、利用側ユニット４０Ａ、４０Ｂに送られる。
【００５４】
そして、利用側ユニット４０Ａ、４０Ｂに送られた高圧のガス冷媒は、利用側熱交換器６Ａ、６Ｂにおいて、室内空気と熱交換（温熱を放出）を行って凝縮して高圧の液冷媒となった後(図４に示す状態ハ)、利用側膨張弁５Ａ、５Ｂを通過する際に、利用側膨張弁５Ａ、５Ｂの弁開度に応じて減圧される(図４に示す状態ニ)。
【００５５】
さらに、利用側膨張弁５Ａ、５Ｂを通過した冷媒は、液側閉鎖弁４５ｖおよび熱源側レシーバ４を経由して、熱源側熱交換器３に流入する。そして、熱源側熱交換器３に流入した低圧の気液二相状態の冷媒は、熱源側ファン３ｆによって供給される室外空気と熱交換（冷熱の放出）を行って蒸発して低圧のガス冷媒(図４に示す状態ホ)となり、四路切換弁２を経由してアキュムレータ７に流入する。
そして、アキュムレータ７に流入する低圧のガス冷媒は、配管２７に設けられたチャージポートＰを通過し、圧縮機１の吸引温度を計測する温度センサＴ２７によって冷媒の温度が検知され、再び、圧縮機１に吸入される(図４に示す状態ト)。
【００５６】
以上のような通常運転モードにおける運転制御は、冷房運転及び暖房運転を含む通常運転を行う通常運転制御手段として機能する制御部３００（より具体的には、利用側制御部３４０Ａ、３４０Ｂと熱源側制御部３２０）とこれらの間を接続する伝送線によって行われる。
【００５７】
（必要冷媒充填量について）
冷凍空調装置１００に必要冷媒充填量が充填できたかの判定は、冷凍空調装置１００の冷媒適否判定手段(図示しない）にて行う。判定の方法としては、例えば、冷凍空調装置１００の蒸発器（冷房運転時は、熱源側熱交換器３に同じ）の出口における「過冷却度運転状態量」を用いたり、予めシミュレーションにより必要充填量を算出したりする方法がある。
【００５８】
また、冷房運転と暖房運転とを切り換えることができる機種の場合、充填作業の時には必要冷媒量が多い運転条件で充填作業を行う。
【００５９】
冷凍空調装置１００のように、利用側ユニット４０Ａ、４０Ｂに利用側膨張弁５Ａ、５Ｂがある機種では、冷房運転時に冷媒充填量を多く必要とするため、冷房運転条件で充填作業を行う。これは、配管（液側延長配管）４５Ｘ、６２Ｘ内に入っている冷媒が、冷房運転時にはガス冷媒と液冷媒であるのに対し、暖房運転時にはガス冷媒と二相冷媒であるため、冷房運転時の方が必要冷媒充填量が多くなるためである。なお、暖房運転時に余った冷媒は熱源側レシーバ４内に貯留される。
【００６０】
一方、冷凍空調装置１００では採用していないが、熱源側ユニット２０に膨張弁がある機種においても、本冷媒充填方法を用いることができる。すなわち、熱源側ユニット２０に膨張弁がある機種では、暖房運転時に冷媒充填量を多く必要とするため、暖房運転条件で充填作業を行うようにする。この場合は、熱源側ユニット２０に膨張弁があるため、配管（液側延長配管）４５Ｘ、６２Ｘ内に入っている冷媒は、冷房運転時にはガス冷媒と二相冷媒であり、暖房運転時にはガス冷媒と液冷媒であるため、暖房運転時の必要冷媒充填量が多くなる。そして、冷媒運転時に余った冷媒は熱源側レシーバ４内に貯留される。
【００６１】
(冷媒充填方法)
次に冷媒充填方法について説明する。蒸発器（冷房運転時は利用側熱交換器６Ａ、６Ｂに同じ）から圧縮機１に戻る冷媒(図４に示す状態ホ)と、冷媒ボンベ８から流入する充填液冷媒(図４に示す状態ヘ)とが合流し、圧縮機１に吸引される「圧縮機吸入冷媒(図４に示す状態ト)」が常に飽和ガスとなるようにする。
すなわち、外気温度Ｔａｂｄ、蒸発温度Ｔｅ、蒸発器の出口過熱度ＳＨ、圧縮機の周波数Ｆを用いて、ある制御間隔における充填調整弁９の開時間の割合(Ｒａｔｉｏ)を算出し、その割合に応じて充填調整弁９の開閉制御を行い、冷媒量適否判定手段により適正冷媒量の判定が出るまで充填作業を行う。
【００６２】
なお、上記の「所定の乾き度」とは、液冷媒の戻りに対する圧縮機１の耐久性により変化する。例えば、液冷媒に対して弱い圧縮機であれば圧縮機に液冷媒が絶対に戻らないよう、充填液冷媒と合流した後の冷媒は出口過熱度を持った状態となるように制御し、逆に液冷媒に対し耐久性がある圧縮機であれば、圧縮機吸入冷媒（充填液冷媒とが合流している）は多少湿った冷媒状態となるよう制御してもよい。
【００６３】
(充填調整弁の開閉率Ｒａｔｉｏの算出方法)
Ｒａｔｉｏを充填調整弁９の開閉率とすると（ ０≦Ｒａｔｉｏ≦１）、冷媒ボンベ８からの充填冷媒と冷媒回路の冷媒とが合流して圧縮機１に吸引される前後の「冷媒熱収支」は式１で表される。そこで、式１をＲａｔｉｏについて解くと、電磁弁９の開閉率［Ｒａｔｉｏ］は式２で表される。
【００６４】
【数１】
2010249326.tif 000003
【００６５】
ここで、
Ｒａｔｉｏ：充填冷媒調整弁の開閉率[％]
Ｃｐｇ    ：定圧比熱[ｋＪ/ｋｇＫ]
ＳＨ      ：蒸発器の出口過熱度[Ｋ]
Ｆ        ：圧縮機周波数[Ｈｚ]
Ｖｓｔ    ：基準ストロークボリューム[ＣＣ]  
ηｖ      ：体積効率[-]
Ｃｖ      ：充填冷媒調整弁のＣｖ値[−]
ρｓ      ：圧縮機吸入飽和ガス密度[Ｋｇ／ｍ３]
ρＢ      ：冷媒ボンベ出口密度[Ｋｇ／ｍ３]
ＰＢ      ：冷媒ボンベ出口圧力[ＭＰａＡ]   
Ｐｓ      ：圧縮機吸入圧力[ＭＰａＡ]   
Ｓｇ      ：液体の比重[−]   
とすると、冷凍空調装置１００の循環冷媒量［Ｇｒ］、冷媒充填量［Ｇｒｂ］、充填冷媒と循環冷媒とが合流した際のエンタルピ［Ｈｓ］、および冷媒ボンベから充填される冷媒のエンタルピ［Ｈｂｏ］は、それぞれ、式３、式４、式５および式６のように表される。なお、式３のηｖは使用する圧縮機の性能特性ηｖを近似式化する。
また、式４のＣｖ値はバルブの持つ容量係数で、１５．６℃（１６°Ｆ）の水がある差圧でバルブを流れる時の流量を表した数値である。このＣｖ値はバルブの選定の際に用いられ、値が大きいほど流体が流れやすくなる。そして、式４は一般的な液体の流量ＧｒｂとＣｖ値との関係を示したものである。
【００６６】
【数２】
2010249326.tif 000004
【００６７】
ここで、エンタルピ（加熱ガス、飽和ガス、飽和液）、密度（ρs、ρＢ）、比熱Ｃｐｇは、近似式もしくはテーブルから求める。
なお、実際は応答遅れがあるため、式２に補正値(例えば、ｈｏｓｅｉ＝０.５)が積算される。
【００６８】
（冷媒充填制御方法）
次に、冷媒充填制御方法について、図５の制御フローチャートに基づいて説明する。冷凍空調装置１００の据え付けが終わり、冷媒回路１０に冷媒を充填する際には、まず各装置に合った運転状態に状態を合わせ、冷凍空調装置１００を起動し、圧縮機１を所定の回転数で駆動させる。
【００６９】
図５に示すステップ（以下「ＳＴ」と表示する）１では、冷凍空調装置１００に冷媒を充填することが可能な条件か否かの判定を行う。充填条件を満たしていれば（Ｙｅｓの場合）、ＳＴ２に進む。一方、充填条件を満たさない場合（Ｎｏの場合）であれば、もう一度はじめ（ＳＴＡＲＴ）から動作を繰返す。
【００７０】
ここで充填条件とは、圧縮機１の吸入出口過熱度が大きく、アキュムレータ７内に液冷媒がない条件とする。
また、圧縮機１の吸入出口過熱度とは、圧縮機１の吸入温度を計測する温度センサＴ２７と低圧側圧力を計測する吸入圧力センサＰ２７の検出値から求められる飽和ガス温度との温度差である。
【００７１】
図５に示すＳＴ２では、吸入圧力センサＰ２７が計測する圧縮機吸入圧力［Ｐｓ］と、圧縮機１の吸入圧力の異常閾値［Ｐｓ］との関係が、「Ｐｓ＞Ｐｓ 」であるか、または、温度センサＴ１２が計測する吐出温度［Ｔｄ］と、圧縮機１の吐出温度の異常閾値［Ｔｄ］との関係が、「Ｔｄ＜Ｔｄ」であるか判定を行う。
そして、充填条件を満たしていれば（Ｙｅｓの場合）、ＳＴ３に進む。
一方、充填条件を満たさない場合（Ｎｏの場合）、冷媒が多量に不足しているため、ＳＴ６に進んで、充填調整弁９を開として、もう一度はじめ（ＳＴＡＲＴ）からの動作を繰返す。
【００７２】
図５に示すＳＴ３では充填作業を行い、充填作業が終了したら、ＳＴ４に進む。なお、充填作業については詳細を後述する。
【００７３】
図５に示すＳＴ４では、冷凍空調装置１００に充填された冷媒量が適正か否か判定を行う。この判定は、冷媒適否判定手段に基づいて判定を行う。冷媒量適否判定手段は、例えば運転状態量から適否を判定するものや、充填冷媒量を推測し適否を判定するものや、冷媒ボンベの重量から判定するもの等がある。ＳＴ４で適性冷媒量を満たさず判定が「Ｎｏ」であればもう一度はじめ（ＳＴＡＲＴ）からの動作を繰返し、判定が「Ｙｅｓ」であれば冷媒充填は完了する。
【００７４】
（冷媒充填作業）
充填作業について図６に示すフローチャートに基づいて説明する。
図６に示すＳＴ３１では、充填調整弁９の開時間の割合［Ｒａｔｉｏ］の算出を行う。
外気温度［Ｔａｄｂ］、蒸発温度［Ｔｅ］、蒸発器出口過熱度［ＳＨ］、圧縮機周波数［Ｆ］を用いて、利用側熱交換器（蒸発器に同じ）６Ａ、６Ｂから圧縮機１に戻ってくる冷媒と冷媒ボンベ８から流入する充填液冷媒とが合流し、圧縮機１に吸入される圧縮機吸入冷媒が常に所定の「乾き度」を持った冷媒となるよう［Ｒａｔｉｏ］を算出する。
【００７５】
図６に示すＳＴ３２では、充填調整弁９が開となる時間間隔、つまり充填調整弁９の制御間隔時間が経過したか否かの判定を行う。経過していれば（充填条件を満たして「Ｙｅｓ」の場合）、ＳＴ３３に進み、一方、経過していなければ（充填条件を満たさず「Ｎｏ」の場合）、もう一度ＳＴ３２に戻る。
【００７６】
図６に示すＳＴ３３では、ＳＴ３２で充填調整弁９の制御間隔時間が経過したという判定により、充填調整弁９を開とする。
【００７７】
図６に示すＳＴ３４では、制御間隔時間とＲａｔｉｏとを積算した時間が経過したか否か判定を行う。経過していれば（充填条件を満たして「Ｙｅｓ」の場合）、ＳＴ３５に進む。一方、経過していない場合（充填条件を満たさず「Ｎｏ」の場合）であれば、もう一度ＳＴ３４に戻る。
【００７８】
図６に示すＳＴ３５では、ＳＴ３４で充填調整弁９が開となる時間間隔を経過したという判定により充填調整弁９を閉とした後、充填作業を終了する（「ＥＮＤ」に進む）。
【００７９】
（冷媒充填増加方法）
次に、冷媒充填量を増加させる方法として、以下に４つの方法を説明する。
【００８０】
（方法１：目標出口過熱度設定）
冷媒充填量を増加させる方法の一つとして、利用側熱交換器（蒸発器に同じ）６Ａ、６Ｂの「出口過熱度」を所定の出口過熱度とする方法がある。充填液冷媒をガス化する熱量は、利用側熱交換器６Ａ、６Ｂから圧縮機１に戻る冷媒が保有しており、その熱量は利用側熱交換器６Ａ、６Ｂの「出口過熱度」とこれらを流れる「冷媒流量」との積で表される。
図７に出口過熱度と充填冷媒量との関係を示す。出口過熱度が少ないと熱量が少なくなり、反対に、出口過熱度が大きくなっても、冷媒循環量が少なくなるため、結果的に熱量が少なくなる。すなわち、熱量が最大となるような所定の出口過熱度が存在する。
よって、冷凍空調装置１００の利用側熱交換器６Ａ、６Ｂの「出口過熱度」を、この所定の出口過熱度に合わせることにより、充填冷媒量を多く充填することができる。なお所定の出口過熱度とは、例えば「ＳＨ＝１０Ｋ（＝１０℃）」である。
【００８１】
具体的な制御方法としては、例えば、充填調整弁９を開いている時間が制御間隔時間の１/３以下となった場合、利用側熱交換器６Ａ、６Ｂの「目標出口過熱度」が所定の値となるよう、冷媒充填ユニット制御部３５０から制御部３００に信号を送信し、冷凍空調装置１００はその目標出口過熱度を目標に運転を行う。
【００８２】
この際、目標出口過熱度が大きすぎると、利用側膨張弁５Ａ、５Ｂの開度が小さくなり過ぎるため、低圧が下がる場合がある。低圧が下がり過ぎる場合には、目標出口過熱度の値を小さくする。
【００８３】
（方法２：圧縮機周波数増加設定）
冷媒充填量を増加させる方法の一つとして、圧縮機の周波数（Ｆ）を増加させる方法がある。充填液冷媒をガス化する熱量は、利用側熱交換器６Ａ、６Ｂから圧縮機１に戻る冷媒が保有しており、その熱量は利用側熱交換器６Ａ、６Ｂの出口過熱度と蒸発器１を流れる冷媒流量との積で表される。
圧縮機１の周波数（Ｆ）、すなわち、単に時間当たりの吐出回数を増加させると冷媒流量が増加するので、充填液冷媒をガス化する熱量が増加するため、充填冷媒量を増加させることができる。
【００８４】
具体的な制御方法としては、例えば充填調整弁９の開いている時間が制御間隔時間の１/３以下となり、その際、冷凍空調装置１００の圧縮機１の周波数（Ｆ）が最大周波数以下の場合、冷媒充填ユニット制御部３５０から制御部３００に「目標周波数」が現在の周波数の例えば１．１倍となるよう信号を送信し、冷凍空調装置１００はその目標周波数を目標に運転を行う。この際、目標周波数が大き過ぎると、低圧が下がってしまう場合がある。この場合には、目標周波数の係数を小さくする。
【００８５】
［方法３：充填調整弁口径変更］
冷媒充填量を増加させる方法の一つとして、充填調整弁９の口径を変更する方法がある。本実施の形態において、充填調整弁９が常に開いた状態の場合、充填冷媒を増加させることができるにも関わらず、弁の開度が足りないため充填冷媒を増加させることができないことが考えられる。よって、充填冷媒量を増加させるために、充填調整弁９の口径を大きくすると「弁のＣｖ値」が大きくなり、充填冷媒量を増加させることができる。
【００８６】
方法３では、充填調整弁９は一つで、充填調整弁９の口径を変えるものであるが、本実施の形態に限らず、２つ以上の充填調整弁を並列に設置し、充填冷媒量が少なくて弁開閉率が小さくてもよい場合には、一つの電磁弁のみ利用し、一方、充填冷媒量が多く弁開閉率が常に大きい場合には、複数の弁を併用して使用するようにする。
なお、弁のサイズは同一サイズであっても、異なるサイズであってもよい。なお開度（Ｃｖ値）を変更できる電動弁を用いる場合、開度(Ｃｖ値)の幅ができる限り大きい弁とすることが好ましい。
【００８７】
（方法４：冷媒ボンベ内冷媒温度上昇）
冷媒充填量を増加させる方法の一つとして、冷媒ボンベ８内の冷媒温度を上昇させる方法がある。本実施の形態において、外気温度が低い場合等、冷媒ボンベ８の内圧と冷媒回路１０の低圧との圧力差が小さいために、充填調整弁９が常に開いていても冷媒が冷媒回路１０に充填されない状態がある。この場合には、冷媒ボンベ８の周囲を暖めることにより冷媒ボンベ８内の冷媒温度を上昇させ、冷媒ボンベ８の内圧と冷媒回路１０の低圧圧力との差圧を大きくし、冷媒充填量を増加させる。
【００８８】
なお、この際、温度センサＴ５０は冷媒ボンベ８の周囲の外気温度を計測するのではなく、配管（冷媒充填配管に同じ）８９、９７に取り付け、充填冷媒の温度を計測するようにする。
ただし、充填調整弁９の開閉を行いながら充填作業を行う場合、安全上、充填調整弁９が閉となるときには冷媒ボンベ８の加熱を停止するようにする。
【００８９】
なお、方法４では、この機能は冷媒充填ユニット５０に組み込まれたものとなっているが、これに限るものではなく、作業者の判断で作業者が運転状態を変更させたり、充填調整弁９の口径を変更したり、あるいは、ヒータや加熱機等のような冷媒ボンベ８内の冷媒を暖める機器のスイッチを入れたりしてもよい。
【００９０】
また、方法４では、配管８９に供給される冷媒の圧力を、配管８９に付設されている温度センサＴ８９によって推測するので、配管８９に供給する冷媒の圧力を検出する手段が設けられていない場合であっても、冷媒流量を調整することができる。
なお、冷媒ボンベ８内の冷媒温度を冷媒ボンベヒータ８ｈ等で上げなければ、冷媒が充填された冷媒ボンベ８内の温度は外気温度にほぼ等しいと考えられ、冷媒ボンベ８から配管８９に供給された冷媒の圧力（飽和圧力）を推定することができる。
【００９１】
また、方法４では、圧縮機１の吸入側における冷媒温度と冷媒圧力相当飽和温度とから「吸入出口過熱度」を導出するようにしているので、圧縮機１の吸入側に設けられた圧縮機の吸入温度を検知する温度センサＴ２７及び低圧側の吐出圧力センサＰ１２を利用して冷媒の「出口過熱度」を導出することができる。
また、方法４では、所定量の冷媒が充填されると充填調整弁９を閉鎖するようにしているので、必要とされる量の冷媒を充填することができ、過充填を防止することができる。
【００９２】
なお、本発明は、実施の形態１に説明した構成に限されるものではなく、その趣旨を逸脱しない範囲で種々変更、改良等が可能である。例えば、実施の形態１では、四路切換弁２を付加し冷暖房可能な冷凍空調装置としたが、それに限られるものではなく、四路切換弁２がなく熱源側熱交換器３が凝縮器として機能し、利用側熱交換器６Ａ、６Ｂが蒸発器として機能する冷凍空調装置としてもよい。また、四路切換弁２に替えて、開閉弁を設置した配管を追加するようにしてもよい。
【００９３】
［実施の形態２］
＜機器構成＞
実施の形態１では充填調整弁９として電磁弁を用いていたのに対し、実施の形態２では充填調整弁９として電動弁を用い、これを除く構成は、実施の形態１に同じである。
実施の形態２では、圧縮機１の吸入冷媒が常に所定の「乾き度」となるよう、冷媒ボンベ８内の冷媒温度、蒸発温度、利用側熱交換器６Ａ、６Ｂの出口過熱度、圧縮機１の周波数［Ｆ］を用いて、電動弁の開度を算出し、その開度に従って電動弁を制御し、冷媒量適否判定手段により適正冷媒量の判定が出るまで充填作業を行う。
【００９４】
(充填調整弁の開度算出方法)
冷媒ボンベ８からの充填冷媒と冷媒回路１０の冷媒とが合流して圧縮機１に吸引される前後の冷媒熱収支は式７で表され、これを冷媒充填量［Ｇｒｂ］について解くと式８で表される。
【００９５】
【数３】
2010249326.tif 000005
【００９６】
ここで、
Ｃｐｇ  ：定圧比熱[ｋＪ／ｋｇＫ]
ＳＨ      ：蒸発器の出口過熱度[Ｋ]
Ｆ      ：仮周波数[Ｈｚ]
Ｖｓｔ  ：基準ストロークボリューム[ＣＣ]  
ηｖ      ：体積効率[-]
Ｃｖ    ：充填冷媒調整弁のＣｖ値[−]
ρｓ    ：圧縮機吸入飽和ガス密度[Ｋｇ／ｍ３]
ρＢ    ：冷媒ボンベ出口密度[Ｋｇ／ｍ３]
ＰＢ    ：冷媒ボンベ出口圧力[ＭＰａＡ]   
Ｐs      ：圧縮機吸入圧力[ＭＰａＡ]   
Ｓｇ    ：液体の比重[−]   
とすると、冷凍空調装置１００循環冷媒量［Ｇｒ］、冷媒充填量［Ｇｒ］、充填冷媒と循環冷媒が合流した際のエンタルピ［Ｈｓ］、および冷媒ボンベから充填される冷媒のエンタルピ［Ｈｂｏ］は、それぞれ、式９、式１０、式１１および式１２のように表される。
また、式１０のＣｖ値はバルブの持つ容量係数で、１５．６℃（１６°Ｆ）の水がある差圧でバルブを流れる時の流量を表した数値である。このＣｖ値はバルブの選定の際に用いられ、値が大きいほど流体が流れやすくなる。そして、式４は一般的な液体の流量ＧｒｂとＣｖ値との関係を示したものである。
【００９７】
【数４】
2010249326.tif 000006
【００９８】
そして、エンタルピ（加熱ガス、飽和ガス、飽和液）、密度（ρs、ρＢ）、比熱ｃｐｇは、近似式もしくはテーブルから求める。
ここで式１０をＣｖ値について解くと式１３となる。
【００９９】
【数５】
2010249326.tif 000007
【０１００】
よって式１３に、式８、９、１１、１２を代入すれば、外気温度、蒸発温度、利用側熱交換器６Ａ、６Ｂの出口の出口過熱度、圧縮機１の周波数から充填調整弁（電動弁に同じ）９のＣｖ値を変化させることができる。
【０１０１】
［発明のまとめ］
前記実施の形態１、２に説明した本発明に係る冷凍空調装置は、以下のようにまとめることができる。
（１）蒸発器から圧縮機に戻る冷媒と冷媒ボンベから流入する充填液冷媒とが合流し、圧縮機に吸入される圧縮機吸入冷媒が、常に「所定の乾き度」となるよう、充填冷媒温度、蒸発温度、蒸発器出口過熱度、圧縮機周波数を用いて、ある制御間隔における弁の開閉率(Ｒａｔｉｏ）を算出し、その割合に応じて弁の開閉制御を行い、冷媒量適否判定手段により適正冷媒量の判定が出るまで充填作業を行っている。
【０１０２】
したがって、このような簡易的な機器で構成された冷媒充填装置により、圧縮機に吸引される圧縮機吸引冷媒が所定の乾き度となるので、冷凍空調装置の構成機器の信頼性を保ちながら、最大充填量で冷媒充填をすることができるため短時間で充填作業を終了することが可能になる。
【０１０３】
（２）蒸発器から圧縮機に戻る冷媒と冷媒ボンベから流入する充填液冷媒とが合流し、圧縮機に吸入される圧縮機吸入冷媒が常に「飽和ガス」となるよう、充填冷媒温度、蒸発温度、蒸発器出口過熱度、圧縮機周波数を用いて、電動弁の開度を算出、その開度に従って制御し、冷媒量適否判定手段により適正冷媒量の判定が出るまで充填作業を行っている。
【０１０４】
したがって、この冷媒充填装置により、圧縮機に吸引される圧縮機吸引冷媒が常に所定の乾き度となり、かつ圧縮機の吸入冷媒状態を常に一定に保つことができるので、冷凍空調装置の構成機器の信頼性を保ちながら、最大充填量で冷媒充填をすることができるため短時間で充填作業を終了することが可能になる。
【０１０５】
（３）また、充填冷媒温度、蒸発温度、蒸発器出口過熱度、圧縮機周波数に基づいて充填冷媒量を計算し、表示する。
したがって、充填冷媒量が表示されることにより、出力部から得られる情報により冷媒充填量を確認することができる他、冷媒充填を行う作業員は充填作業において冷媒ボンベをはかり等で計測する必要がなく、冷媒ボンベが空になったことを把握することができる。
【０１０６】
（４）また、充填冷媒温度、蒸発温度、蒸発器出口過熱度、圧縮機周波数に基づいて、圧縮機吸入冷媒が所定の乾き度になるように充填冷媒流量を調整する調整手段を備え、充填冷媒量を計算し、表示する。
したがって、この冷媒充填装置により冷媒充填を行う作業員は、圧縮機を損傷することなく短時間で充填作業が完了することに加え、出力部から得られる情報により冷媒充填量を確認できたり、充填作業において冷媒ボンベをはかり等で計測する必要がなく、出力部から得られる情報により冷媒ボンベが空になったことを把握することが可能となったりするため、冷媒充填作業の負荷を軽減することができる。
【０１０７】
（５）また、圧縮機構吸入側での冷媒の出口過熱度を、前記圧縮機構吸入側における冷媒温度と冷媒圧力相当飽和温度とから算出している。
これにより、圧力センサ、温度センサを追加する必要がなく既存のセンサで圧縮機吸入出口過熱度を算出することができる。
【０１０８】
（６）また、充填冷媒温度の代わりに外気温度を用いて、弁を制御する。
これにより、充填冷媒温度を計測する必要がなくなり、充填冷媒温度を計測するセンサを無くすことができ、部品数を減らすことができる。
【０１０９】
（７）また、蒸発器出口過熱度を所定の値とすることが可能である。
したがって、充填液冷媒をガス化する熱量は蒸発器から圧縮機に戻る冷媒が保有しており、その熱量は蒸発器出口の出口過熱度と蒸発器を流れる冷媒流量の積で表される。蒸発器出口における出口過熱度が少ないと熱量が少なくなり、逆に出口過熱度が大きいと冷媒流量は少なくなるため結果的に熱量が少なくなることから、熱量が最大と所定の出口過熱度が存在することになる。よって、冷凍空調装置の蒸発器出口の出口過熱度をこの所定の出口過熱度に合わせることにより、充填冷媒量を多く充填することができるため、充填時間が短縮される。
【０１１０】
（８）また、冷凍空調装置の圧縮機周波数を変化させることが可能である。
したがって、充填液冷媒をガス化する熱量は蒸発器から圧縮機に戻る冷媒が持つ出口過熱度であり、その熱量は蒸発器出口過熱度と蒸発器を流れる冷媒流量の積で表される。蒸発器を流れる冷媒流量は、圧縮機の周波数と相関関係を持っており、圧縮機の周波数が増加すると冷媒流量も増加する。冷媒流量が増加すると充填冷媒量を増加させることができるため、充填時間が短縮される。
【０１１１】
（９）また、冷媒充填用の開閉弁の口径を変化させることが可能である。
したがって、弁の口径を大きくすることで、冷媒ボンベからの冷媒流量の最大値を上げることができ、冷媒充填スピードを向上させることができる。充填スピード向上により、冷媒充填にかかる所要時間を短縮することができる。逆に弁の口径を小さくすることで、時間当たりに流れる冷媒量が少なく、かつ冷媒が流れている時間が長くなり、圧縮機吸入冷媒等の運転状態量の変動が抑えられるため、冷凍サイクルが常に安定な運転状態の下で充填作業を行うことができる。
【０１１２】
（１０）また、冷媒ボンベ内冷媒温度を変化させることが可能である。
したがって、外気が低く冷媒圧力と蒸発圧力との差圧が小さく、そのままでは冷媒が充填しにくい場合にも、冷媒ボンベ内冷媒温度を上昇させることにより差圧を大きくできるため、冷媒ボンベからの冷媒充填速度を上昇させることができる。
【０１１３】
（１１）また、所定量の冷媒が前記冷媒充填配管を通して供給されると弁を閉鎖する制御部を備えている。これにより、冷媒の過充填を無くすことができる。
【０１１４】
（１２）また、圧縮機構、凝縮器、膨張機構及び蒸発器の間を冷媒が循環する冷媒回路と、 上記に説明したいずれかの冷媒充填装置とを備え、前記冷媒充填装置の冷媒充填配管が前記圧縮機構と前記蒸発器との間の冷媒配管に接続されている。
したがって、この冷凍空調装置により、冷凍空調装置を構成する機器の信頼性を向上させつつ、冷媒充填作業を効率化し、作業者の負荷を減らすことができる。
【０１１５】
さらに、前記実施の形態１、２に説明した本発明に係る冷媒充填方法は、以下のようにまとめることができる。
（１３）充填冷媒温度、蒸発温度、蒸発器出口過熱度、圧縮機周波数に基づいて、冷媒充填配管に設けられた弁の開閉率を制御することによって、圧縮機吸入冷媒が所定の乾き度になるように充填流量を調整しながら前記冷媒回路に冷媒を供給する冷媒充填方法である。
したがって、この冷媒充填方法により、圧縮機に吸引される圧縮機吸引冷媒が所定の乾き度となるので、冷凍空調装置の構成機器の信頼性を保ちながら、最大充填量で冷媒充填できるため短時間で充填作業を終了することができる。
【０１１６】
（１４）また、充填冷媒温度、蒸発温度、蒸発器出口過熱度、圧縮機周波数に基づいて、冷媒充填配管に設けられた弁の開度を調整することによって、圧縮機吸入冷媒が「所定の乾き度」になるように充填流量を調整しながら前記冷媒回路に冷媒を供給する。
したがって、この冷媒充填方法により、圧縮機に吸引される圧縮機吸引冷媒が常に所定の乾き度となり、かつ圧縮機吸入冷媒状態を常に一定に保つことができるので、冷凍空調装置の構成機器の信頼性を保ちながら、最大充填量で冷媒充填できるため短時間で充填作業を終了することができる。
【０１１７】
（１５）また、前記圧縮機構吸入側での冷媒の出口過熱度は、前記圧縮機構吸入側における冷媒温度と冷媒圧力相当飽和温度とから算出している。
これにより、圧力センサ、温度センサを追加する必要がなく既存のセンサで圧縮機吸入出口過熱度を算出することができる。
【０１１８】
（１６）また、充填冷媒温度の代わりに外気温度を用いて、弁を制御する。
これにより、充填冷媒温度を計測する必要がなくなり、充填冷媒温度を計測するセンサを無くすことができ、部品数を減らすことができる。
【０１１９】
（１７）また、蒸発器出口過熱度を所定の値とすることが可能である。
したがって、ガス化する熱量は蒸発器から圧縮機に戻る冷媒が保有しており、その熱量は蒸発器出口の出口過熱度と蒸発器を流れる冷媒流量の積で表される。蒸発器出口過熱度が少ないと熱量が少なくなり、逆に出口過熱度が大きいと冷媒流量は少なくなるため結果的に熱量が少なくなることから、熱量が最大と所定の出口過熱度が存在することになる。よって、冷凍空調装置の蒸発器出口の出口過熱度をこの所定の出口過熱度に合わせることができるので、機器の損傷を防ぎながら充填冷媒量を多く充填することができ、充填時間が短縮される。
【０１２０】
（１８）また、圧縮機周波数を変化させることが可能である。
したがって、充填液冷媒をガス化する熱量は蒸発器から圧縮機に戻る冷媒が持つ出口過熱度であり、その熱量は蒸発器出口過熱度と蒸発器を流れる冷媒流量の積で表される。蒸発器を流れる冷媒流量は、圧縮機の周波数と相関関係を持っており、圧縮機の周波数が増加すると冷媒流量も増加する。冷媒流量が増加すると充填冷媒量を増加させることができるため、充填時間が短縮される。
【０１２１】
（１９）冷媒充填用の開閉弁の口径を変化させることが可能である。
したがって、弁の口径を大きくすることで、冷媒ボンベからの冷媒流量の最大値を上げることができ、冷媒充填スピードを向上させることができる。充填スピード向上により、冷媒充填にかかる所要時間を短縮することができる。逆に弁の口径を小さくすることで、時間当たりに流れる冷媒量が少なく、かつ冷媒が流れている時間が長くなり、圧縮機吸入冷媒等の運転状態量の変動が抑えられるため、冷凍サイクルが常に安定な運転状態の下で充填作業を行うことができる。
【０１２２】
（２０）また、充填冷媒温度を変化させることが可能である。
したがって、外気が低く冷媒圧力と蒸発圧力との差圧が小さく、そのままでは冷媒が充填しにくい場合にも、冷媒ボンベ内冷媒温度を上昇させることにより差圧を大きくできるため、冷媒ボンベからの冷媒充填速度を上昇させることができる。
【０１２３】
（２１）また、所定量の冷媒が前記冷媒充填配管を通して供給されると弁を閉鎖する。これにより、冷媒過充填を無くすことができる。
【産業上の利用可能性】
【０１２４】
本発明により、適正量の冷媒を迅速に充填することができるから、各種形態の冷凍サイクルを形成する冷媒回路への冷媒充填および、各種冷凍空調装置として広く利用することができる。
【符号の説明】
【０１２５】
１：圧縮機、２：四路切換弁、３：熱源側熱交換器、３ｆ：熱源側ファン、４：熱源側レシーバ、５Ａ：利用側膨張弁、５Ｂ：利用側膨張弁、６Ａ：利用側熱交換器、６Ｂ：利用側熱交換器、６Ａｆ：利用側ファン、６Ｂｆ：利用側ファン、７：アキュムレータ、８：冷媒ボンベ、８ｈ：冷媒ボンベヒータ、９：充填調整弁、１０：冷媒回路、１０Ａ：利用側冷媒回路、１０Ｂ：利用側冷媒回路、１０Ｎ：熱源側冷媒回路、２０：熱源側ユニット、３０：制御ユニット、４０Ａ：利用側ユニット、４０Ｂ：利用側ユニット、４５ｖ：液側閉鎖弁、５０：冷媒充填ユニット、６２ｖ：ガス側閉鎖弁、ηｖ：性能特性、１００：冷凍空調装置、３００：冷凍空調装置制御部（制御部）、３０１：測定部、３０２：演算部、３０３：駆動部、３０４：記憶部、３０５：入力部、３０６：出力部、３２０：熱源側制御部、３４０Ａ：利用側制御部、３４０Ｂ：利用側制御部、３５０：冷媒充填ユニット制御部（充填制御部）、３５１：測定部、３５２：演算部、３５３：駆動部、３５４：記憶部、３５５：入力部、３５６：出力部、３５７：表示部、Ｐ：チャージポート、Ｐ１２：吐出圧力センサ、Ｐ２７：吸入圧力センサ、Ｐｄ：吐出圧力、Ｐｓ：吸入圧力、Ｒａｔｉｏ：開閉率、ＳＣ：過冷却度、ＳＣｍ：過冷却度目標値、ＳＨ：出口過熱度、ＳＨｍ：出口過熱度目標値、Ｔ１２：温度センサ、Ｔ２０：温度センサ、Ｔ２７：温度センサ、Ｔ３：温度センサ、Ｔ３４：温度センサ、Ｔ４０Ａ：温度センサ、Ｔ４０Ｂ：温度センサ、Ｔ５０：温度センサ、Ｔ５６Ａ：温度センサ、Ｔ５６Ｂ：温度センサ、Ｔ６２Ａ：温度センサ、Ｔ６２Ｂ：温度センサ、Ｔ８９：温度センサ、ＴＣ：凝縮温度、Ｔａｂｄ：外気温度、Ｔｅ：蒸発温度、ｃｐｇ：比熱。
【図１】
2010249326.tif 000012
【図２】
2010249326.tif 000013
【図３】
2010249326.tif 000014
【図４】
2010249326.tif 000015
【図５】
2010249326.tif 000016
【図６】
2010249326.tif 000017
【図７】
2010249326.tif 000018